(57)【要約】【課題】内部にペットを収容するペット用サークルの上面開口部に天面パネルを着脱自在に取り付けるために使用され、天面パネルを容易に着脱させることができるとともに開閉自在にすることができる支持部材を、簡単な構成で提供する。【解決手段】周壁パネルのいずれか１つの辺を構成する上フレーム２１に着脱自在に取り付けられ、上フレーム２１に対応する天面パネル３の端部を軸支する軸支部４Ａが形成されており、天面パネル３が当該端部を回転軸として回転し周壁パネルの上面開口部に対して開閉自在に構成される。【選択図】  図４
2008167658.tif 000002
【特許請求の範囲】
【請求項１】
上端に上フレームが設けられ、平面視多角形状の周壁パネルの内部にペットを収容するペット用サークルの上面開口部に天面パネルを着脱自在に取り付けるために使用される支持部材であって、
前記周壁パネルのいずれか１つの辺を構成する上フレームに着脱自在に取り付けられ、
前記上フレームに対応する天面パネルの端部を軸支する軸支部が形成されており、天面パネルが当該端部を回転軸として回転し周壁パネルの上面開口部に対して開閉自在に構成されていることを特徴とする支持部材。
【請求項２】
前記支持部材は、軸支部を備え、基部の上下端部にそれぞれ挟持片を有する支持部材本体と、この支持部材本体を上フレームに着脱自在に固定するための固定ボルトとからなっており、
前記支持部材本体の各挟持片は、基部から同方向に直角に突出可能に形成され、これらの挟持片で上フレームを挟持可能に構成されていることを特徴とする請求項１に記載の支持部材。
【発明の詳細な説明】
【技術分野】
【０００１】
本発明は、内部に犬や猫などのペットを入れるペット用サークルの上面開口部に天面パネルを着脱自在に取り付けるために使用される支持部材に関する。
【背景技術】
【０００２】
ペット用サークルは、複数のパネルを連結し、これらのパネルで囲まれた内部にペットを収容するものであって、近年のペットブームに伴い、種々のペット用サークルやペット用ケージが提供されている。
【０００３】
なかでも、内部に収容したペット（特に犬）の飛び出しを防止するため、天面パネルによって上部開口を閉鎖したペット用サークルが提供されており、この天面パネルを着脱自在、かつ開閉自在するために種々の部材が使用されている。
【０００４】
例えば特許文献１には、底板と周壁体と天井体とによって愛玩動物を収容する収容空間を形成するとともに、前記天井体を前記周壁体に対して着脱自在としたペットケージが開示されている。
【０００５】
このペットケージは、枠体に固定された固定側天井部材と、ヒンジを介して回動自在とされた回動側天井部材とから天井体が構成されており、枠体に対して固定側天井部材と回動側天井部材とがスライドバックルを介して着脱自在になされている。そして、回動側天井部材を回動させて天井の一部を開放することによりペットやトイレを出し入れすることができる構造とされたものである。
【特許文献１】特許第３１９３５６９号公報
【発明の開示】
【発明が解決しようとする課題】
【０００６】
しかしながら、上記したペットケージでは、固定側天井部材と回動側天井部材と枠体によって天面パネルが形成されており、各天井部材を枠体に着脱自在に取り付けるために複数のスライドバックルを使用している。また、回動側天井部材を固定側天井部材に対して回動させるためにヒンジを設けているので、部品点数が多く構造が複雑であるといった問題がある。
【０００７】
また、回動側天井部材のみが開閉するので、回動側天井部材を開放した状態における開口面積が小さく、ペットケージ内部に配置したペット用トイレの取り出しやペットケージの清掃作業が困難であるといった問題も生じる。
【０００８】
本発明は、このような事情に鑑み創案されたもので、内部にペットを収容するペット用サークルの上面開口部に天面パネルを着脱自在に取り付けるために使用され、天面パネルを容易に着脱させることができるとともに開閉自在にすることができる支持部材を、簡単な構成で提供するものである。
【課題を解決するための手段】
【０００９】
上記の目的を達成するため、本発明は、上端に上フレームが設けられ、平面視多角形状の周壁パネルの内部にペットを収容するペット用サークルの上面開口部に天面パネルを着脱自在に取り付けるために使用される支持部材である。この支持部材は、前記周壁パネルのいずれか１つの辺を構成する上フレームに着脱自在に取り付けられ、前記上フレームに対応する天面パネルの端部を軸支する軸支部が形成されており、天面パネルが当該端部を回転軸として回転し周壁パネルの上面開口部に対して開閉自在に構成されていることを特徴とする。
【００１０】
この発明によれば、天面パネルを軸支する支持部材が周壁パネルのいずれか１つの辺を構成する上フレームに着脱自在に取り付けられているので、支持部材を取り外すだけで、天面パネルを周壁パネルから取り外すことができるとともに、支持部材を取り付けるだけで、天面パネルを周壁パネルに取り付けることができる。したがって、天面パネルの着脱が容易である。
【００１１】
また、天面パネルが当該端部を回転軸として回転し周壁パネルの上面開口部に対して開閉自在に構成されているので、天面パネルを回転させることにより、上面開口部を開放させることができる。この場合において、当該端部を回転軸として天面パネルの全体が回転することから、天面パネルを開放した状態における周壁パネルの上面開口部の開口面積が大きく、ペット用サークル内部に収容したものの出し入れや清掃作業が容易で使い勝手が良い。
【００１２】
本発明は、前記支持部材は、軸支部を備え、基部の上下端部にそれぞれ挟持片を有する支持部材本体と、この支持部材本体を上フレームに着脱自在に固定するための固定ボルトとからなっており、前記支持部材本体の各挟持片は、基部から同方向に直角に突出可能に形成され、これらの挟持片で上フレームを挟持可能に構成されていることを特徴とする。
【００１３】
この発明によれば、支持部材本体と、固定ボルトにより支持部材が構成されているので、構成が簡単である。
【００１４】
また、支持部材本体の挟持片で上フレームを挟持可能に構成されているので、挟持片で上フレームを挟み、固定ボルトで固定するだけで、支持部材を取り付けることができるので、使い勝手がよい。
【００１５】
さらに、支持部材本体に軸支部が設けられているので、軸支部により軸支された天面パネルの端部を回転軸として回転させて周壁パネルの上面開口部を大きく開放することができる。
【発明の効果】
【００１６】
本発明によれば、内部にペットを収容するペット用サークルの上面開口部に天面パネルを着脱自在に取り付けるために使用され、天面パネルを容易に着脱させることができるとともに開閉自在にすることができる支持部材を、簡単な構成で提供することが可能になる。
【発明を実施するための最良の形態】
【００１７】
以下、本発明の実施形態について、図面を参照して説明する。
【００１８】
図１から図３には、本実施形態のペット用サークル１の全体が示されている。
【００１９】
このペット用サークル１は、正面パネル２ａと背面パネル２ｂと左右の側面パネル２ｃ，２ｄの各側辺が互いに連結された周壁パネル２の上面開口部に支持部材４を介して天面パネル３が着脱自在かつ開閉自在に取り付けられたものである。
【００２０】
なお、周壁パネル２の下部に、トレーを取り付けて、ペット用サークルを配置した床面などの汚れを防止してもよい。
【００２１】
周壁パネル２（正面パネル２ａと背面パネル２ｂと左右の側面パネル２ｃ，２ｄ）は、上フレーム２１と下フレーム２２と、これら上フレーム２１と下フレーム２２との間に取り付けられる網状体とからなっている。
【００２２】
上フレーム２１および下フレーム２２は木製の断面矩形状の棒状体で形成されているが、木製に限定されるものではなく、例えば合成樹脂製のフレームであってもよい。また網状体は、線状部材、例えば鉄線材により格子状に形成されている。
【００２３】
なお、本実施の形態では、周壁パネル２に上フレーム２１および下フレーム２２を設けているが、上フレームのみを設け、下フレームを備えないパネルで構成されたものであってもよい。
【００２４】
周壁パネル２の正面パネル２ａ、背面パネル２ｂの対向する側辺間は、固定棒２０を介して左右の側面パネル２ｃ，２ｄが連結されている。そして、正面パネル２ａには、ペットが出入り可能なペット用出入り口が開口されており、このペット用出入り口を開閉するペット用扉２３が開閉自在に取り付けられている。
【００２５】
天面パネル３は、線状部材、例えば鉄線材により格子状に形成されており、周壁パネル２の背面パネル２ｂに対応する端部３ｂには、支持部材４に挿入されて回転軸として作用するシャフト３１が所定間隔をおいて２箇所に形成されている。
【００２６】
シャフト３１は、天面パネル３の縦線材（ここで、天面パネル３の縦方向とは、天面パネル３において正面パネル２ａ側と背面パネル２ｂ側とを結ぶ方向をいうものとする。）が上フレーム２１の若干外側まで延出された延出部３２の先端が、天面パネル３の横方行に屈曲されたものである（図４参照）。
【００２７】
このシャフト３１は、上フレーム２１に着脱自在に取り付けられた支持部材４に挿入され、天面パネル３がシャフト３１を回転軸として回転し、周壁パネル２の上面開口部に対して開閉自在に構成されている。
【００２８】
支持部材４は、図４から図６に示すように、基部４１の上下端部にそれぞれ挟持片４２，４３を有する支持部材本体４０と、この支持部材本体４０を上フレーム２１に着脱自在に固定するための固定ボルト４４とからなっている。また、支持部材本体４０の基部４１と一方の挟持片４２との接続部分（支持部材本体の上隅角部）には、シャフト３１を挿入する挿入孔４ｘが形成されており、天面パネル３のシャフト３１を軸支する軸支部４Aとなされている。
【００２９】
なお、図５は支持部材４の斜視図を示し、図６は、支持部材４の右側面図（ａ）、正面図（ｂ）、左側面図（ｃ）、背面図（ｄ）、平面図（ｅ）および底面図（ｆ）を示している。
【００３０】
支持部材本体４０の各挟持片４２，４３は、基部４１から同方向に直角に突出可能に構成され、これらの挟持片４２，４３で上フレーム２１を挟持可能になされている。
【００３１】
一方の挟持片４２の所定位置には、固定ボルト４４を挿入するボルト穴４４ｘが形成されており、他方の挟持片４３のボルト穴４４ｘに対応する位置には、固定ボルト先端の螺子部に対応して螺子止めするための埋め込みナット４４ｙが形成されている。
【００３２】
なお、固定ボルト４４の螺子部の基端部には、他方の挟持片４３の端面に突き当たって規制されることによりボルトの締めすぎを防止するためのねじきり部４４ｚが形成されている。
【００３３】
また、他方の挟持片４３と基部４１との接続部分は、薄肉部４ｙを介して折曲自在になされており、支持部材４を上フレーム２１に容易に挟むことができるように図られている。
【００３４】
すなわち、薄肉部４ｙにより、他方の挟持片４３を基部４１から垂下させることが可能になされているので、このように初期状態では他方の挟持片４３を基部４１から垂下させておき、基部４１と一方の挟持片４２を上フレーム２１の所定の取付位置に合わせて配置した後に、他方の挟持片４３を基部４１から挟持片４２と同方向に直角に突出するように折り曲げて、これらの挟持片４２，４３で上フレーム２１を容易に挟持することができる。
【００３５】
なお、本実施の形態では薄肉部４ｙを他方の挟持片４３側にのみ設けているが、一方の挟持片４２側に設けてもよく、或いは、両方の挟持片４２、４３側にそれぞれ設けてもよい。また、このように薄肉部を設けることで、梱包する際に挟持片を折り曲げてコンパクトな形状にすることが可能になり、輸送や保管のコストを低減することもできる。
【００３６】
天面パネル３の正面パネル２ａに対応する端部３ａ（支持部材４により軸支された端部３ｂに対向する端部３ａ。以下、「自由端部３ａ」という。）には、自由端部３ａから正面パネル２ａの上フレーム２１の上面側に延出された上面突出部３３が所定間隔を隔てて２箇所に設けられている。
【００３７】
また、自由端部３ａには、自由端部３ａから出没自在に構成され、上フレーム２１の下面側に突出可能な下面突出部５３を備えたスライド部材５が設けられており、下面突出部５３が突出された状態において、上面突出部３３と下面突出部５３により上フレーム２１を挟持して天面パネル３を周壁パネル２にロックするとともに、下面突出部５３が引き込まれることによりロックが解除されるように図られている。
【００３８】
このように構成されたペット用サークル１において、天面パネル３の左右の側面パネル２ｃ、２ｄに対応する端部に、当該端部から外方に向かって延出したストッパＡを設けて、天面パネル３が周壁パネル２内に落ち込むことを阻止し、天面パネル３を確実に支持するようにしてもよい。また、天面パネル３の自由端部３ａおよび左右の側面パネル２ｃ、２ｄに対応する端部に当該端部から垂下させて折曲した垂下部Ｂを設けて、天面パネル３で周壁パネル２の上面開口部を閉鎖した状態において、天面パネル３のずれやガタツキを阻止して安定して配置されるようにしてもよい。
【００３９】
次に、上記した構成の支持部材４の使用方法に関し、天面パネル３の開閉・着脱について図面を参照しながら説明する。
【００４０】
まず、天面パネル３のシャフト３１を支持部材４の挿入孔４ｘに挿入し（図４参照）、支持部材４を上フレーム２１に近づけていき、挟持片４２、４３で上フレーム２１を挟むようにする。
【００４１】
次に、固定ボルト４４をボルト穴４４ｘに挿入し、埋め込みナット４４ｙに螺合することにより、支持部材４を上フレーム２１に取り付ける（図４参照）。
【００４２】
このように支持部材４を上フレーム２１に取り付けると、天面パネル３をシャフト３１を回転軸として回転させることができる（図３参照）。
【００４３】
この場合、天面パネル３で周壁パネル２の上面開口部を閉鎖した位置から背面パネル２ｂと近接する位置に至るまでの約２７０度、天面パネル３を回転させることができる。したがって、周壁パネル２の上面開口部を開放した状態において天面パネル３が邪魔になることがなく、使い勝手がよい。また、周壁パネル２の上面開口部の開口面積を最大にして開放するので、ペット用サークル１内部に収容したものの出し入れや清掃作業が容易である。
【００４４】
周壁パネル２の上面開口部を天面パネル３で閉鎖するときは、天面パネル３を周壁パネル２の上面開口部を覆う方法に回転させ、天面パネル３の端部３ｂ方向にスライド部材５をスライド動作させることにより、天面パネル３を周壁パネル２の上面開口部を閉鎖した状態で周壁パネル２にロックする。
【００４５】
天面パネル３を取り外す際は、支持部材４の固定ボルト４４の螺合を解除し、固定ボルト４４を取り外す。次いで、支持部材４を上フレーム２１から外すと、天面パネル３を簡単に取り外すことができる。
【００４６】
このように、天面パネル３を周壁パネル２から取り外すことができるので、天面パネル３を使用しない場合は、天面パネル３を取り外して支持部材４とともに別途保管し、周壁パネル２の上面開口部を常時開放した状態でペット用サークル１を好適に使用することが可能である。
【００４７】
なお、本実施の形態では平面視矩形状の周壁パネル２を備えたペット用サークル１を例にとって説明したが、ペット用サークル１は上記した構成や形状に限定されるものではない。
【００４８】
例えば、図７に示すように、周壁パネル２で囲まれた領域を仕切体６により住居スペース１ａとトイレスペース１ｂの２つの領域に区画し、この区画された各領域に対応して天面パネル３ａ，３ｂをそれぞれ設けたものであってもよい。この場合、住居スペース用天面パネル３ａとトイレスペース用天面パネル３ｂのいずれか一方のみを取り付けたり、双方を取り付けた場合であっても、いずれか一方を解放状態にして他方を閉鎖状態にするなど、使い方のバリエーション幅が広く、シーンに応じて様々な使い分けをすることが可能である。
【００４９】
また、周壁パネル２の形状を平面視五角形状や六角形状などの多角形状として、それぞれ対応する五角形や六角形などの天面パネルを有するものであってもよい。このような多角形状のものであっても、周壁パネルのいずれか１つの辺を構成する上フレームに支持部材を取り付けるだけで、天面パネルを着脱自在かつ開閉自在に取り付けることが可能である。
【００５０】
以上、本発明の実施の形態について、一例としての実施例について説明したが、上述した実施例に限られるものではない。
【産業上の利用可能性】
【００５１】
本発明は、内部にペットを収容するペット用サークルの上面開口部に天面パネルを着脱自在に取り付けるために使用され、天面パネルを容易に着脱させることができるとともに開閉自在にすることができる支持部材に適用できる。
【図面の簡単な説明】
【００５２】
【図１】本発明の支持部材を適用したペット用サークルの全体を示す斜視図である。
【図２】図１のペット用サークルの周壁パネルの上面開口部を開放する状態を示す斜視図である。
【図３】図１のペット用サークルの周壁パネルの上面開口部を開放する状態を示す斜視図である。
【図４】本発明の支持部材を示す斜視図である。
【図５】本発明の支持部材を示す斜視図である。
【図６】本発明の支持部材を示す右側面図、正面図、左側面図、背面図、平面図および底面図である。
【図７】本発明の支持部材が適用されるペット用サークルの変形例を示す斜視図である。
【符号の説明】
【００５３】
１      ペット用サークル
２      周壁パネル
２１    上フレーム
３      天面パネル
４      支持部材
４０    支持部材本体
４１    基部
４２，４３  挟持片
４４    固定ボルト
４Ａ    軸支部
【図１】
2008167658.tif 000003
【図２】
2008167658.tif 000004
【図３】
2008167658.tif 000005
【図４】
2008167658.tif 000006
【図５】
2008167658.tif 000007
【図６】
2008167658.tif 000008
【図７】
2008167658.tif 000009